(57)【特許請求の範囲】
【請求項１】
内部が中空構造とされた合成樹脂製パレットの製造方法であって、
前記合成樹脂製パレットの全体あるいは一部と略同形状のキャビティを備えた金型には、該金型に開口された開閉可能なバルブゲートと、前記バルブゲートが開口された部分に設けられた樹脂受け部と、該樹脂受け部のキャビティ間隔を変更する間隔変更手段と、ガス注入手段とが備えられており、
前記樹脂受け部のキャビティ間隔を、前記樹脂受け部周辺部分のキャビティ間隔よりも大きくした状態で、前記バルブゲートを介して樹脂原料を前記金型内に供給した後に、
前記バルブゲートを閉止して前記金型内にガスを注入し、前記ガスが前記樹脂受け部に到達する前に、前記間隔変更手段によって前記樹脂受け部のキャビティ間隔を小さくするようにしたことを特徴とする合成樹脂製パレットの製造方法。
【請求項２】
前記バルブゲートから、コア層を構成する樹脂原料とスキン層を構成する樹脂原料とを前記金型内に供給して、コア層とスキン層とを有する合成樹脂製パレットを製造する請求項１に記載の合成樹脂製パレットの製造方法。
【請求項３】
前記樹脂受け部のキャビティ間隔を小さくした後に、前記金型内にガスを注入する請求項１または請求項２に記載の合成樹脂製パレットの製造方法。
【請求項４】
前記間隔変更手段が、前記バルブゲートに対向する側に配置された進退可能な可動ピンである請求項１から請求項３のいずれかに記載の合成樹脂製パレットの製造方法。
【請求項５】
前記バルブゲートの前記金型への開口部の口径が、１０ｍｍから２０ｍｍの範囲内とされた請求項１から請求項４のいずれかに記載の合成樹脂製パレットの製造方法。
【請求項６】
内部が中空構造とされた合成樹脂製パレットの製造装置であって、
前記合成樹脂製パレットの全体あるいは一部と略同形状のキャビティを備えた金型と、該金型に開口された開閉可能なバルブゲートと、前記バルブゲートが開口された部分に設けられた樹脂受け部と、該樹脂受け部のキャビティ間隔を変更する間隔変更手段と、ガス注入手段とを備え、
前記間隔変更手段は、前記バルブゲートに対向する側に配置された進退可能な可動ピンとされ、この可動ピンと前記バルブゲートとの間のキャビティ部分が前記樹脂受け部とされていることを特徴とする合成樹脂製パレットの製造装置。
【発明の詳細な説明】
【技術分野】
【０００１】
本発明は、種々の物品を運搬および保管する際に使用される合成樹脂製パレットであって、内部が中空構造とされた合成樹脂製パレットの製造方法及び製造装置に関する。
【背景技術】
【０００２】
一般に、荷物を運搬および保管する際に使用されるパレットとして、合成樹脂を金型内に射出することにより成形された合成樹脂製パレットが提供されており、フォークリフト等のフォーク部を２方向から差し込める二方差しの合成樹脂製パレットや４方向から差し込める四方差しの合成樹脂製パレットが使用されている。
【０００３】
このような合成樹脂製パレットは、荷物を積載するために、例えば１ｍ角の正方形平板状をなして比較的大型であり、その重量が重くなって取り扱いが不便となるといった問題があった。また、金型が大型化するために、樹脂原料を金型内に十分供給できない場合には、樹脂原料が冷却されて硬化する際に樹脂原料の供給が不足した部分において、そりや変形が発生する場合があった。これを防止するために樹脂原料を確実に供給するには、樹脂原料を多量に供給する必要があり、樹脂原料の使用量が過度に多くなってしまうといった問題があった。
【０００４】
そこで、合成樹脂製パレットの内部にガスを注入して、合成樹脂製パレットの内部を中空構造とするガスアシスト法によって成形された合成樹脂製パレットが提供されている（特許文献１参照）。この合成樹脂製パレットでは、内部が中空構造とされているために軽量となり、大型のパレットであっても取り扱いが簡単である。また、樹脂原料を供給した後に金型内にガスを注入しているので、金型内の樹脂が外側に押し広げられるように押圧され、金型内面と樹脂原料との接触が促進され、樹脂原料の冷却時間を短くすることができる。よって、溶融原料の供給量を多くすることなく樹脂圧力を高めることができ、樹脂原料を金型の中に確実に供給でき、そりや変形の発生を防止できるものである。
【０００５】
このように金型内にガスを注入するガスアシスト法においては、樹脂原料を供給する樹脂ゲートとしてスプル付ゲートを使用すると、注入されたガスがゲート内の樹脂原料の内部まで侵入してしまい、射出成形後にスプル部分をカットした際に穴が形成されてしまう。この穴は合成樹脂製パレットの中空部分に連結されているので、雨水などが合成樹脂製パレットの内部に溜まってしまうことになる。そこで、ガスアシスト法によるパレットの成形では、ゲート部がパレット表面に露出する場合、ゲートの開口部が開閉可能なバルブゲートを用いる必要がある。このバルブゲートを使用して樹脂原料を金型内に所定量供給してゲートを閉止した後に、金型内にガスを注入することにより、ゲート内へのガスの侵入を防止している。
【０００６】
また、近年、容器包装リサイクル法等の施行により、プラスチックのリサイクル化が図られており、廃棄プラスチックから得られた再生樹脂をコア層に配置し、新たに生成したバージン樹脂をスキン層に配置して再生樹脂の使用量増加を図ったサンドイッチ成形法が提案されている。
このサンドイッチ成形法では、１つのゲートから２種類の樹脂原料を、例えば再生樹脂とバージン樹脂とを金型内に射出するものが知られている（特許文献２、特許文献３参照）。この方法では、開口したゲートの中央部分にコア層となる再生樹脂を配置し、この再生樹脂を取り囲むようにスキン層となるバージン樹脂を配置して金型内に射出するものである。バージン樹脂の使用量を低減できるとともに再生樹脂の使用が促進されるため、プラスチックのリサイクル促進の観点から広く使用されている。
【０００７】
このサンドイッチ成形法では、バルブゲートから供給する段階でコア層とスキン層との２層構造としている。一般的な合成樹脂製パレットの射出成形における複数のゲートから樹脂を供給する方法では、樹脂原料の流れが衝突する部分で２層構造ができなかったり、コア層の樹脂が表面に露出し易くなったり、あるいは、複数のゲートを繋ぐための樹脂の湯道（ランナー）内に残存する２層の樹脂をスキン材で置換する必要があるため、コア層の比率を減少させる要因となる。このため、金型内への樹脂原料の供給経路をできるだけ少なく、つまりバルブゲートをできる限り少なく、好ましくは１つのバルブゲートにて樹脂原料を供給する一点ゲートとしたほうがよい。
【０００８】
このようなサンドイッチ成形法を合成樹脂製パレットに適用した場合には、樹脂原料を合成樹脂製パレットの金型に十分に供給するためにバルブゲートの口径を大きくする必要があり、特に一点ゲートの場合にはバルブゲートの口径をさらに大きくする必要がある。また、樹脂材料を金型内に十分に供給するために、金型のキャビティ間隔を大きくして、合成樹脂製パレットを厚肉のものとする必要があるが、厚肉の合成樹脂製パレットではさらに重量が増加してしまい、取り扱いがさらに困難となってしまう。また、厚肉の合成樹脂製パレットでは、金型内での樹脂原料の冷却に時間が掛かり変形やそりなどが発生してしまうといった問題があった。
【０００９】
そこで、このサンドイッチ成形法に、前述したガスアシスト法を適用することが検討されている。
【特許文献１】特開平１０−２１８１７９号公報
【特許文献２】特開平０６−１９０８６０号公報
【特許文献３】特開平０６−１２６７６９号公報
【発明の開示】
【発明が解決しようとする課題】
【００１０】
しかしながら、前記のバルブゲートを使用したガスアシスト法には、次のような問題があった。
バルブゲート近傍には、金型内に供給されたばかりの高温の樹脂原料が存在している。さらに、バルブゲートは溶融した高温の樹脂原料を内部に有しているため高温である。よって、このバルブゲート近傍の樹脂原料は高温のまま保持されることになる。
【００１１】
この状態でバルブゲートを閉止してガスを注入した場合には、バルブゲート近傍の樹脂が高温に保持された部分にガスが優先的に侵入して、高温で変形し易い部分、つまりバルブゲートに接している部分の樹脂原料が伸ばされてフィルム状になってしまうことがあった。このようにフィルム状になった部分は強度がなく、合成樹脂製パレットの成形加工時や使用時に破損してしまうといった問題があった。
【００１２】
とくに、前述した一点ゲートによるサンドイッチ成形では、バルブゲートの口径を大きくする必要があり、高温で保持される樹脂が存在する部分が大きくなるため、ガスアシスト法を適用することは困難であった。
また、バルブゲートの口径を小さくするためにバルブゲートを複数設けた場合には、前述の如く、コア層の構成比率を小さくする必要がある。すると、例えばコア層に再生樹脂を使用している場合には、再生樹脂の使用量が低減されてしまうため、プラスチックのリサイクル化を促進できなくなってしまうといった問題があった。
【００１３】
本発明は、このような実情に鑑みてなされたものであって、内部が中空構造とされた合成樹脂製パレットを、安定かつ確実に製造できる合成樹脂製パレットの製造方法及び製造装置を提供することを目的とする。
【課題を解決するための手段】
【００１４】
本発明による合成樹脂製パレットの製造方法は、内部が中空構造とされた合成樹脂製パレットの製造方法であって、前記合成樹脂製パレットの全体あるいは一部と略同形状のキャビティを備えた金型には、該金型に開口された開閉可能なバルブゲートと、前記バルブゲートが開口された部分に設けられた樹脂受け部と、該樹脂受け部のキャビティ間隔を変更する間隔変更手段と、ガス注入手段とが備えられており、前記樹脂受け部のキャビティ間隔を、前記樹脂受け部周辺部分のキャビティ間隔よりも大きくした状態で、前記バルブゲートを介して樹脂原料を前記金型内に供給した後に、前記バルブゲートを閉止して前記金型内にガスを注入し、前記ガスが前記樹脂受け部に到達する前に、前記間隔変更手段によって前記樹脂受け部のキャビティ間隔を小さくするようにしたことを特徴としている。
【００１５】
また、本発明による合成樹脂製パレットの製造装置は、内部が中空構造とされた合成樹脂製パレットの製造装置であって、前記合成樹脂製パレットの全体あるいは一部と略同形状のキャビティを備えた金型と、該金型に開口された開閉可能なバルブゲートと、前記バルブゲートが開口された部分に設けられた樹脂受け部と、該樹脂受け部のキャビティ間隔を変更する間隔変更手段と、ガス注入手段とを備え、前記間隔変更手段は、前記バルブゲートに対向する側に配置された進退可能な可動ピンとされ、この可動ピンと前記バルブゲートとの間のキャビティ部分が前記樹脂受け部とされていることを特徴としている。
【発明の効果】
【００１６】
本発明に係る合成樹脂製パレットの製造方法によれば、樹脂原料を供給した後に、バルブゲートを閉止してキャビティ間隔を小さくするとともに金型内にガスを注入することにより、バルブゲートが開口された部分のキャビティ間隔が小さくなって樹脂受け部の樹脂圧力が高くなり、この部分へのガスの侵入が防止される。よって、バルブゲート近傍にフィルム状となる部分が形成されず、軽量で高品質の合成樹脂製パレットを、安定かつ確実に製造することができる。
【００１７】
また、本発明に係る合成樹脂製パレットの製造装置は、開閉可能なバルブゲートと、該樹脂受け部のキャビティ間隔を変更する間隔変更手段と、ガス注入手段とを備えているので、樹脂原料を金型内に供給した後に、バルブゲートを閉止してガスを注入し、このガスが樹脂受け部に到達する前に、間隔変更手段によって樹脂受け部のキャビティ間隔を小さくすることができる。
【発明を実施するための最良の形態】
【００１８】
本発明の実施形態である合成樹脂製パレットの製造方法は、前記バルブゲートから、コア層を構成する樹脂原料とスキン層を構成する樹脂原料とを前記金型内に供給して、コア層とスキン層とを有する合成樹脂製パレットを製造するものである。この製造方法では、ゲートバルブの口径が大きくしても樹脂受け部へのガスの侵入を防止できるので、コア層とスキン層とを有する合成樹脂製パレットを一点ゲートからの樹脂供給によって成形することができる。ここで、コア層を構成する樹脂原料として再生樹脂を使用する場合には、再生樹脂の使用量を確保することができ、プラスチックのリサイクル化を促進することができる。
【００１９】
また、前記樹脂受け部のキャビティ間隔を小さくした後に、前記金型内にガスを注入する製造方法では、キャビティ間隔が小さくされた後にガスを注入するので、樹脂受け部へのガスの侵入を確実に防止できる。なお、ガス注入前にキャビティ間隔が小さくなったことを確認するために、合成樹脂製パレットの製造装置に位置センサ等を配備することが好ましい。
【００２０】
また、前記樹脂受け部のキャビティ間隔を前記樹脂受け部周辺部分のキャビティ間隔よりも大きくした状態で、前記樹脂原料を前記金型内に供給する製造方法では、樹脂受け部が大きくされて樹脂原料の供給が促進されるので、一点ゲートでも樹脂原料を金型内に確実に供給することができる。
【００２１】
また、前記間隔変更手段を、前記バルブゲートに対向する側に配置された進退可能な可動ピンとすることにより、樹脂受け部のキャビティ間隔を可動ピンの進退を制御することで変更でき、さらに確実に高品質の合成樹脂製パレットを製造することができる。
さらに、前記バルブゲートの口径を、１０ｍｍから２０ｍｍの範囲内とすることにより、樹脂原料の金型内への供給を促進することができるとともに、バルブゲートによって樹脂原料が高温に保持される部分を小さくでき、ガスの侵入をさらに確実に防止することができる。
このような効果をさらに確実に奏効せしめるには、前記バルブゲートの口径を１２ｍｍから２０ｍｍの範囲内とすることがより好ましい。
【実施例】
【００２２】
以下、本発明の実施例による合成樹脂製パレットの製造方法について添付した図面を参照して説明する。図１から図４に本実施例に係る合成樹脂製パレットの製造方法に用いられる製造装置の一部を示す。
本実施例で成形する合成樹脂製パレットは、全体として例えば一辺が１．１ｍの正方形の箱形に形成され、合成樹脂製パレットの上面（荷物の載置面）を形成する上面板状部と、下面を形成する下面板状部と、上面板状部及び下面板状部とを連結する桁部とを有するものであり、上面板状部と桁部とが一体成形されてなる上面型部材と、下面板状部と桁部とが一体成形されてなる下面型部材とを、これら上面型部材の桁部と下面型部材の桁部とを互いに当接させた状態で熱溶着することにより成形されるものである。
【００２３】
合成樹脂製パレットの製造装置１は、図１及び図２に示すように、合成樹脂製パレットの一部と略同形状のキャビティ１１を有する金型１０と、この金型１０のキャビティ１１の一部に開口されたバルブゲート２１と、バルブゲート２１に対向するとともにバルブゲート２１に向けて進退可能に配置された可動ピン３０と、金型１０のキャビティ１１内へガスを注入するガスバルブ４０とを備えている。
【００２４】
前記の金型１０には、合成樹脂製パレットの上面板状部とこの上面板状部から延びる桁部とを有する上面型部材と略同形状のキャビティ１１が形成されている。図３に示すように、金型１０の上面板状部の上面（荷物の載置面）を形成する部分には、荷物を安定して載置するために概略平面状となるようにキャビティ１１が形成されている。そして、この上面の中心部に樹脂原料を供給する樹脂バルブ２０の開口部、つまりバルブゲート２１が一点設けられており、いわゆる一点ゲートの金型１０とされている。
【００２５】
また、金型１０の上面型部材の裏側を形成する部分には、図４に示すように、上面板状部がなす正方形のうち対向する２辺に沿って延びる一対の縁桁部１２と、この縁桁部１２と平行に延びて縁桁部１２の間に位置する中央桁部１３とが形成されている。つまり、この合成樹脂製パレットの製造装置１は、いわゆる二方差しパレットの上面型部材を成形するものである。
【００２６】
上面板状部の裏側や縁桁部１２及び中央桁部１３の内部には、格子状のリブ１４が複数形成され、これらのリブ１４によって矩形室部１５が形成されるようにキャビティ１１が設けられている。そして、金型１０の上面型部材の裏側を形成する部分の中心部分、つまり、前記バルブゲート２１と対向する部分には、図４に示すように可動ピン３０が配置されている。この可動ピン３０の近傍には、金型１０のキャビティ１１内にガスを注入するためのガスバルブ４０が開口されている。また、このガスバルブ４０からキャビティ１１内へ向けて延びてガスの通過経路となるガスチャンネル１６が形成されている。
【００２７】
樹脂バルブ２０は、図１及び図２に示すように筒状体をなしており、一端が金型１０のキャビティ１１に開口したバルブゲート２１とされ、他端側には、図示しない樹脂原料供給手段から延びる原料供給経路２２が設けられている。
この樹脂バルブ２０の内部には、樹脂バルブ２０のなす筒状体の軸線方向に進退可能に配置されたバルブピン２３が配置されており、このバルブピン２３の進退動作によってバルブゲート２１を開閉できる構成とされている。ここで、本実施例では、バルブゲート２１の口径は、例えば１０ｍｍから２０ｍｍの範囲内に設定され、バルブピン２３の外径は、例えば１３ｍｍから２７ｍｍの範囲内となるように設定されている。
【００２８】
また、バルブゲート２１に対向するように設けられた可動ピン３０は概略円柱状に形成され、その外径は、図１及び図２に示すようにバルブゲート２１の口径よりも一段大きくされており、本実施例では、例えば４０ｍｍに設定されている。そして、この可動ピン３０の一端側が金型１０のキャビティ１１内に突出可能に配置されており、可動ピン３０の他端面は、可動ピン３０の軸線に対して傾斜した傾斜面とされている。
可動ピン３０の他端側には、この可動ピン３０を進退可能に移動させる移動手段３１が設けられており、移動手段３１は、可動ピン３０の他端面（傾斜面）と連動する傾斜ブロック３２とこの傾斜ブロック３２を可動ピン３０の移動方向に対して垂直な方向に進退可能に移動するシリンダ３３とから構成されている。
【００２９】
図１に示すように、傾斜ブロック３２をＸ方向に移動することにより、傾斜ブロック３２の傾斜面と可動ピン３０の他端面とが連動し、傾斜ブロック３２の傾斜面に沿って可動ピン３０がバルブゲート２１から離れるように後退する。  
一方、図２に示すように、傾斜ブロック３２をＹ方向に移動することにより、傾斜ブロック３２によって可動ピン３０の他端面（傾斜面）が押圧され、可動ピン３０がバルブゲート２１に近づくように進出する。
このように移動手段３１によって、可動ピン３０を進退可能に移動することができる構成とされているのである。
【００３０】
この可動ピン３０とバルブゲート２１との間のキャビティ部分が樹脂受け部１７とされている。可動ピン３０をバルブゲート２１から後退するように移動することで樹脂受け部１７のキャビティ間隔ｔが大きくなり、可動ピン３０をバルブゲート２１に近接するように進出させることで樹脂受け部１７のキャビティ間隔ｔを小さくすることができる。つまり、この可動ピン３０と移動手段３１とが、樹脂受け部１７のキャビティ間隔ｔを変更する間隔変更手段３４を構成しているのである。
【００３１】
この可動ピン３０の近傍に設けられたガスバルブ４０からは、本実施例では、例えば不活性ガスの一種である窒素ガスが金型１０のキャビティ１１内に注入される。
【００３２】
次に、この構成の合成樹脂製パレットの製造装置１を用いた合成樹脂製パレットの製造方法について説明する。図５に、バルブゲート２１の開閉動作と、可動ピン３０の進退動作と、ガス注入タイミングとの関係を示す。
まず、図１に示すように、傾斜ブロック３２をＸ方向に移動させて、可動ピン３０をバルブゲート２１から離間するように後退させ、樹脂受け部１７のキャビティ間隔ｔを大きくしておく。ここで、本実施例では、上面板状部を形成する部分のキャビティ間隔ｓは３ｍｍとされ、樹脂受け部１７のキャビティ間隔ｔは５ｍｍとされている。
【００３３】
この状態で、樹脂バルブ２０のバルブピン２３を移動させてバルブゲート２１を開口し、樹脂原料を金型１０のキャビティ１１内に供給する。ここで、本実施例では、合成樹脂製パレットを構成する樹脂原料としてポリプロピレン（ＰＰ）を使用しており、このバルブゲート２１からは２種類の樹脂原料が供給される。
【００３４】
バルブゲート２１の中心部分には、廃棄プラスチックを再生して得られた再生樹脂が配置され、この再生樹脂を取り囲むように、新規に生成されたバージン樹脂が配置されて金型１０のキャビティ１１内に供給されるのである。ここで、本実施例では、スキン層を構成するバージン樹脂の温度は２５０℃とされ、コア層を構成する再生樹脂の温度は２３０℃とされており、これらのバージン樹脂及び再生樹脂の金型への射出圧は、例えば８．８ＭＰａとされている。
【００３５】
所定量の樹脂原料を供給した後に、バルブゲート２１をバルブピン２３にて閉止するとともに、図２に示すように、傾斜ブロック３２をＹ方向に移動させて、可動ピン３０をバルブゲート２１に近づくように進出させ、樹脂受け部１７のキャビティ間隔ｔを小さくする。ここで、本実施例では、樹脂受け部１７のキャビティ間隔ｔは２ｍｍとされ、上面板状部を形成する部分のキャビティ間隔ｓよりも小さくされている。
そして、図５に示すように、バルブゲート２１及び可動ピン３０は射出圧力により動作完了までに若干のタイムラグがあるが、バルブゲート２１の閉止（ＴＶ１）及び可動ピン３０の進出が完全に終了（ＴＰ１）した後に、ガスバルブ４０から窒素ガスを金型１０のキャビティ１１内に注入（ＴＧ１）するのである。
【００３６】
このようにして、スキン層にバージン樹脂が配置され、コア層に再生樹脂が配置されたサンドイッチ構造で、かつ、内部が中空構造とされた合成樹脂製パレットが成形されることになる。
この製造方法によれば、金型１０に開口された一点のバルブゲート２１から再生樹脂とバージン樹脂とが供給されるので、樹脂原料の流れが衝突する部分がなく、コア層を構成する再生樹脂とスキン層を構成するバージン樹脂との混合が防止される。
【００３７】
また、樹脂原料の供給後にガスを供給しており、金型１０内の樹脂原料が金型１０に押し付けられて樹脂原料の冷却が促進されるとともに、樹脂供給量を過度に増加することなく樹脂圧力を高めることができ、合成樹脂製パレット成形時のそりや変形の発生が防止される。また、リブの内部が中空構造とされ、比較的大型で厚肉の合成樹脂製パレットであっても軽量であり、取り扱いが容易となる。
【００３８】
ここで、本実施例に係る合成樹脂製パレットの製造方法では、樹脂原料を金型１０内に所定量供給してバルブゲート２１を閉止するとともに可動ピン３０を進出させて樹脂受け部１７のキャビティ間隔ｔを２ｍｍと小さくした後に金型１０内にガスを注入しているので、樹脂受け部１７の樹脂圧力が高くなり樹脂受け部１７の中にガスが侵入することを防止できる。したがって、バルブゲート２１近傍の高温で変形し易い樹脂にガスが侵入せず、合成樹脂製パレットの一部がフィルム状になってしまうことを防止できる。
【００３９】
さらに、樹脂受け部１７のキャビティ間隔ｔを樹脂受け部１７周辺部分のキャビティ間隔ｓである３ｍｍよりも大きく５ｍｍとした状態で、樹脂原料を金型１０のキャビティ１１内に供給しているので、樹脂原料の供給が促進されて樹脂原料を金型１０のキャビティ１１内に確実に供給することができる。よって、バルブゲート２１の口径を小さくすることができ、樹脂原料が高温で保持される部分を小さくして、樹脂受け部１７へのガスの侵入を確実に防止できる。
【００４０】
ここで、バルブゲート２１の口径を本実施例のように１０ｍｍから２０ｍｍの範囲内とすることにより、樹脂原料の供給を促進しつつ、ガスの侵入を確実に防止できるので好ましい。この効果をさらに確実にするためには、バルブゲート２１の口径を１２ｍｍから２０ｍｍの範囲内とすることがより好ましい。
また、本実施例では、バルブピン２３の外径を１３ｍｍから２７ｍｍの範囲内としているが、バルブゲート２１の口径を１２ｍｍから２０ｍｍの範囲内とした場合には、これに併せてバルブピン２３の外径を１６ｍｍから２７ｍｍの範囲内とすることが好ましい。
【００４１】
このように本実施例に係る合成樹脂製パレットの製造方法によれば、再生樹脂で構成されたコア層とバージン樹脂で構成されたスキン層とを有するサンドイッチ構造であり、内部が中空構造とされた合成樹脂製パレットを、高品質で安定かつ確実に製造することができるとともに、再生樹脂の使用量を確保してプラスチックのリサイクル化を促進することができる。
【００４２】
なお、本実施例では、ガスバルブ４０を可動ピン３０の近傍に配備したもので説明したが、これに限定されることはなく、ガスバルブ４０を可動ピン３０から離れた位置に設けてもよい。この場合には、図６に示すように、バルブゲート２１の閉止（ＴＶ２）及び可動ピン３０の進出終了（ＴＰ２）よりも若干早いタイミング（ＴＧ２）でガス注入を行っても良い。要するに、注入したガスが樹脂受け部１７に到達する前に、可動ピン３０の進出が完了して樹脂受け部１７のキャビティ間隔ｔが小さくされていれば良いのである。
【００４３】
また、上面型部材と下面型部材とをそれぞれ成形し、これら上面型部材と下面型部材とを熱溶着する合成樹脂製パレットの製造方法として説明したが、これに限定されることはなく、上面板状部と下面板状部とこれらを連結する桁部とを一体に成形する合成樹脂製パレットの製造方法に適用してもよい。
【図面の簡単な説明】
【００４４】
【図１】本発明の実施例である合成樹脂製パレットの製造装置において、樹脂受け部のキャビティ間隔を大きくした状態を示す部分拡大図である。
【図２】本発明の実施例である合成樹脂製パレットの製造装置において、樹脂受け部のキャビティ間隔を小さくした状態を示す部分拡大図である。
【図３】上面型部材の上面を成形する部分を示す図である。
【図４】上面型部材の裏面を成形する部分を示す図である。
【図５】バルブゲート開閉と可動ピンの動作とガス注入タイミングとを示す図である。
【図６】本発明に係る合成樹脂製パレットの製造方法の他の実施例を示す図である。
【符号の説明】
【００４５】
１０  金型
１１  キャビティ
１７  樹脂受け部
２１  バルブゲート
３０  可動ピン
３４  間隔変更手段
４０  ガスバルブ
【図１】
0004657833.tif 000002
【図２】
0004657833.tif 000003
【図３】
0004657833.tif 000004
【図４】
0004657833.tif 000005
【図５】
0004657833.tif 000006
【図６】
0004657833.tif 000007